(57)【要約】【課題】  この発明は、ケースの蓋体の取付装置において、部品点数を減らすことにより組立の作業性を向上させることを課題とするものである。【解決手段】この発明のケースの蓋体の取付装置は、上部が開口したケース本体３にヒンジピン５を介して蓋体１を回動可能に取り付けたケースにおいて、以下の構成で蓋体を取り付けるものである。  前記ケース本体３の上部に板ばね７を、その下端部を固定し上端部を前記ヒンジピン近傍に位置させて配設する。前記蓋体１は、閉蓋時に前記板ばね７又は本体３の内壁に面接触して閉蓋状体を保持する閉蓋保持面２ａと、開蓋時に前記板ばね又は本体の内壁に面接触して開蓋状態を保持する開蓋保持面２ｃと、蓋体の回動時に前記板ばねを押し広げる押圧部２ｂとを有するものとして、前記板ばね７は、蓋体が閉位置及び開位置にあるときには常位置にあり、蓋体が回動途中にあるときには押し広げられた位置にあり、もって蓋体が閉位置及び開位置に保持されるように構成する。【選択図】  図２
2011037481.tif 000002
【特許請求の範囲】
【請求項１】
上部が開口したケース本体の開口部に蓋体が装着され、この蓋体はその一側を水平なヒンジピンを介して前記本体の一側に回動可能に取り付けたケースにおいて、
前記ケース本体の上部には板ばねが、その下端部を固定し上端部を前記ヒンジピン近傍に位置させて配設され、
前記蓋体はヒンジピン近傍に、閉蓋時に前記板ばね又は本体の内壁に面接触して閉蓋状体を保持する閉蓋保持面と、開蓋時に前記板ばね又は本体の内壁に面接触して開蓋状態を保持する開蓋保持面と、蓋体の回動時に前記板ばねを押し広げる押圧部とを有し、
前記板ばねは、蓋体が閉位置及び開位置にあるときには常位置にあり、蓋体が回動途中にあるときには押し広げられた位置にあり、もって蓋体が閉位置及び開位置に保持されるようにした、ケースの蓋体の取付装置
【請求項２】
ケース本体は、一側上部に中空部が形成され、この中空部にヒンジピンが配設され、中空部のヒンジピンを挟む二つの壁のいずれか一方を板ばねで構成した、請求項１記載のケースの蓋体の取付装置
【請求項３】
ケース本体は樹脂製とし、板ばねは本体に形成された中空部のヒンジピンを挟む二つの壁の何れか一方に、上端が開放されたスリットを設けて形成した、請求項２記載のケースの蓋体の取付装置
【請求項４】
蓋体は扇形の底板と、底面の直線縁に沿い閉蓋時にケース本体の開口部を覆う平面壁と、底面の曲線縁に沿う曲面壁とを備えるものとした、請求項１に記載ケースの蓋体の取付装置
【発明の詳細な説明】
【技術分野】
【０００１】
この発明は、本体の上部一側に蓋体を回動可能に取り付けたケースにおける蓋体取付装置に関するものである。このケースは菓子や錠剤などの収納ケースとして使用することもできるが、内部に着火装置や燃料タンクを装着してライターの筐体としての使用に適したものである。
【背景技術】
【０００２】
本体の上部一側に蓋体を回動可能に取り付けたライターにおいては、蓋体は閉じた状態及び開いた状態のいずれにおいてもそれぞれの状態が保持される必要がある。そのために、蓋体にカム部を設け、このカム部をばねで押さえることによって閉状態、開状態を保持するようにしている。
【０００３】
従来、前記ばねとしてはコイルばねを用い、コイルばねとコイルばねのテンションをカム部に伝達するためのプッシュロッドとをライター本体に装着することにより、蓋体の閉状態においてはコイルばねに押し上げられたプッシュロッドがカム体の下壁に押しつけられて蓋体が開かないように規制し、蓋体の開状態においてはコイルばねに押し上げられたプッシュロッドがカム体の側壁に押しつけられて、蓋体が閉じないように規制している。
【特許文献１】特開平９−１１２９０３
【発明の開示】
【発明が解決しようとする課題】
【０００４】
上記従来の構成においては、カム部が設けられた蓋体、ライター本体、両者を結合するヒンジピンの他に、コイルばね、プッシュロッドが個別部品として必要とされている。そして、コイルばね及びプッシュピンをライター本体に組み込む作業や押し上げるテンションを調整する作業などが必要であって、組立の作業性が悪かった。
この発明は、部品点数を減らすことにより組立の作業性を向上させることを課題とするものである。
【課題を解決するための手段】
【０００５】
この発明のケースの蓋体の取付装置は、上部が開口したケース本体の開口部に蓋体が装着され、この蓋体はその一側を水平なヒンジピンを介して前記本体の一側に回動可能に取り付けたケースにおいて、以下の構成で蓋体と取り付けるものである。
前記ケース本体の上部に板ばねを、その下端部を固定し上端部を前記ヒンジピン近傍に位置させて配設する。前記蓋体はヒンジピン近傍に、閉蓋時に前記板ばね又は本体の内壁に面接触して閉蓋状体を保持する閉蓋保持面と、開蓋時に前記板ばね又は本体の内壁に面接触して開蓋状態を保持する開蓋保持面と、蓋体の回動時に前記板ばねを押し広げる押圧部とを有するものとして、前記板ばねは、蓋体が閉位置及び開位置にあるときには常位置にあり、蓋体が回動途中にあるときには押し広げられた位置にあり、もって蓋体が閉位置及び開位置に保持されるように構成する。
【０００６】
請求項２の発明は、ケース本体の一側上部に中空部を形成し、この中空部にヒンジピンを配設し、中空部のヒンジピンを挟む二つの壁のいずれか一方を板ばねで構成したものであり、この構成においてケース本体は樹脂製とし、板ばねは本体に形成された中空部のヒンジピンを挟む二つの壁の何れか一方に、上端が開放されたスリットを設けて形成したものが請求項３の発明である。
請求項４の発明は菓子や錠剤のケースとして適したものであって、蓋体を扇形の底板と、底面の直線縁に沿い閉蓋時にケース本体の開口部を覆う平面壁と、底面の曲線縁に沿う曲面壁とを備えるものとしたものである。
【０００７】
この発明は板ばねで直接蓋体のヒンジピン近傍を付勢する構成とすることによりプッシュピンが不要となり部品点数が減少する。
前記板ばねは蓋体のヒンジピン近傍を付勢できるものであればよく、中空部を設けることは必須ではない。そして中空部を設けた場合においても、板ばねはプッシュピンを挟んで中空部のケース本体外壁側及びケース本体内側のいずれに配置することもできる。
【発明の効果】
【０００８】
この発明によれば、蓋体の回動を規制するために板ばねを使用しているので、蓋体のの壁面と板ばねとを直接面接触させることができる。したがって、従来のコイルばねを用いた装置において必須であったプッシュピンを用いることなく蓋の開閉を規制することができる。加えて、本体に樹脂を用いることにより板ばねを本体と一体構成とすることも可能であり、本体、蓋体、ヒンジピンのわずか３部品で、更にヒンジピンを蓋体又は本体と一体とすることによりとなり、２部品で蓋体の取付装置を構成することが可能となり、組立の効率を飛躍的に向上させることができる。
【発明を実施するための最良の形態】
【０００９】
以下この発明の実施の形態を図面に基づいて説明する。
【実施例１】
【００１０】
合成樹脂製の蓋体１の一側下部にカム部２が突設してあり、このカム部２が上方に着火部を備えた扁平直方体としたライターの本体３の一側上部に形成された縦長の中空部４に嵌装してある。前記蓋体のカム部２の両側に、カム部と一体成形によりヒンジピン５が突設してあり、このヒンジピン５を前記中空部４の両側壁に形成された軸受穴に装着することにより、蓋体１と本体３とが回動可能に結合してある。
前記本体３は合成樹脂製であって本体３の外壁と前記中空部４との間に、上端が開放した２本の縦方向のスリット６が形成してあり、スリット６で挟まれた部分が板ばね７となっている。この板ばね７の上端面は前記カム部２と面接触するための傾斜部７ａが形成してあり、板ばね７の上部には蓋体１が回動するための段落ち部８が形成してある。
【００１１】
前記カム部２は、蓋体１の閉位置及び開位置においては板ばね７が常態にあり、回動途中において板ばね７が押し広げられるような形状大きさとしてあり、カム部２は、蓋体１の閉位置において板ばね７の傾斜部７ａと面接触する平面である閉蓋保持面２ａ、蓋体１の回動途中において板ばね７を押し広げる押圧部２ｂ、蓋体１の開位置において板ばね７の傾斜部７ａと面接触する平面である開蓋保持部２ｃを備えている。
前記押圧部２ｂは、蓋体が４５度回転したときに板ばね７に最大のテンションが加わる大きさ、形状とし、前記閉蓋保持面２ａと開蓋保持面２ｃとの間に介在する曲面をなす隅部が押圧部２ｂとなる。
【００１２】
この実施例において、蓋体１を閉じた状態においては、カム部２の閉蓋保持面２ａが板ばね７の傾斜面７ａと面接触し、カム部２は板ばね７のテンションによってその動きが規制されている。したがって、蓋体１が不慮に開くことはない。
蓋体１を開くために蓋体１を回動させると、カム部２の押圧部２ｂによって板ばね７は押し広げられ、そのテンションは回転角４５度で最大となる。そして、回転角４５度を超えると板ばね７の復元力によって蓋体１は自力で開位置へと移動する。
蓋体１が開いた状態においては、カム部２の開蓋保持面２ｃが板ばね７の傾斜面７ａと面接触し、カム部２は板ばね７のテンションによってその動きが規制されている。したがって、蓋体１は開いた状態を保持する。
【実施例２】
【００１３】
図６ないし図９は、中空部４のヒンジピン５を挟んだ内側の壁を板ばね７としたものである。この板ばね７は合成樹脂製の本体３と一体に成形されており、両側にスリット６が形成されて板ばね７は自由に動けるようになっている。
【００１４】
蓋体１は一側が断面幅Ｗを広く形成してあり、この幅広部９の下部が前記中空部４に挿入され、ヒンジピン５によって本体３に回動自在に取り付けてある。
前記幅広部９の周面には、閉蓋時に前記板ばね７に面接触する閉蓋保持面９ａ、回動時に板ばね７を押し広げる押圧部９ｂ、開蓋時に板ばね７に面接触する開蓋保持面９ｃが順次形成してある。なお、前記中空部４の外側壁の上方は段落ち部８として、蓋体１の回動を可能としてある。
【００１５】
この実施例において、蓋体１を閉じた状態においては、幅広部９の閉蓋保持面９ａが板ばね７と面接触し、幅広部９は板ばね７のテンションによってその動きが規制されている。したがって、蓋体１が不慮に開くことはない。
蓋体１を開くために蓋体１を回動させると、幅広部９の押圧部９ｂによって板ばね７は押し広げられ、そのテンションは回転角４５度で最大となる。そして、回転角４５度を超えると板ばね７の復元力によって蓋体１は自力で開位置へと移動する。
蓋体１が開いた状態においては、幅広部９開蓋保持面９ｃが板ばね７と面接触し、幅広部９は板ばね７のテンションによってその動きが規制されている。したがって、蓋体１は閉じた状態を保持する。
【００１６】
図１０は板ばね７を本体３とは別体として構成し、板ばね７の下端部を本体３に固定したものである。その他の構造は上記実施例２と同様である。
【実施例３】
【００１７】
図１１ないし図１４は錠剤やガムなどの粒状菓子等のケースとして適したものである。
ケース本体３は上方が開口した扁平直方体であり、この開口部に蓋体１が装着してある。この蓋体１は１／４円の扇形とした底板１０の一方の直線縁に閉蓋時に本体３の開口部を塞ぐ平面壁１１が、曲線縁に曲面壁１２が設けてあり、開蓋時に本体３の収納物、例えば錠剤１３を蓋体１の底板１０に移動させることにより、収納物を取り出しやすいようにしてある。
【００１８】
前記蓋体１は、閉蓋時において前記平面壁１１が本体３の開口部を塞ぎ、前記底板１０及び曲面壁１２は本体内に位置するように、前記平面壁１１の一側（底板の直角隅部側）に設けられたヒンジピン５によって本体３に回動自在に取り付けてある。また、本体３の前記ヒンジピン５側のヒンジピン対向壁には二本の縦スリット６によって板ばね７が形成されている。
前記幅広の平面壁１１の周面には、閉蓋時に前記板ばね７に面接触する閉蓋保持面１１ａ、回動時に板ばね７を押し広げる押圧部１１ｂ、開蓋時に板ばね７に面接触する開蓋保持面１１ｃが順次形成してある。なお、前記中空部４の外側壁の上方は段落ち部８としてある。
この実施例における板ばね７の機能は上記実施例２と同様である。
【産業上の利用可能性】
【００１９】
この発明は、簡易な構成、かつ少ない部品点数で蓋体の開閉を規制することができるものであり、ライターの筐体その他汎用性のあるケースとして利用でき、産業上の利用可能性を有するものである。
【図面の簡単な説明】
【００２０】
【図１】実施例１の斜視図
【図２】同じく閉蓋時の正面断面図
【図３】同じく４５度回動時の正面断面図
【図４】同じく開蓋時の正面断面図
【図５】同じく側面断面図
【図６】実施例２の斜視図
【図７】同じく閉蓋時の正面断面図
【図８】同じく４５度回動時の正面断面図
【図９】同じく開蓋時の正面断面図
【図１０】同じく板ばねを別体とした閉蓋時の正面断面図
【図１１】実施例３の開蓋時の斜視図
【図１２】同じく閉蓋時の正面断面図
【図１３】同じく４５度回動時の正面断面図
【図１４】同じく開蓋時の正面断面図
【符号の説明】
【００２１】
１    蓋体
２    カム部
２ａ  閉蓋保持面
２ｂ  押圧部
２ｃ  開蓋保持面
３    ケース本体
４    中空部
５    ヒンジピン
６    スリット
７    板ばね
７ａ  傾斜部
８    段落ち部
９    幅広部
９ａ  閉蓋保持面
９ｂ  押圧部
９ｃ  開蓋保持面
１０  底板
１１  平面壁
１１ａ  閉蓋保持面
１１ｂ  押圧部
１１ｃ  開蓋保持面
１２  曲面壁
【図１】
2011037481.tif 000003
【図２】
2011037481.tif 000004
【図３】
2011037481.tif 000005
【図４】
2011037481.tif 000006
【図５】
2011037481.tif 000007
【図６】
2011037481.tif 000008
【図７】
2011037481.tif 000009
【図８】
2011037481.tif 000010
【図９】
2011037481.tif 000011
【図１０】
2011037481.tif 000012
【図１１】
2011037481.tif 000013
【図１２】
2011037481.tif 000014
【図１３】
2011037481.tif 000015
【図１４】
2011037481.tif 000016